【手続補正書】
【提出日】平成18年7月13日(2006.7.13)
【手続補正１】
【補正対象書類名】特許請求の範囲
【補正対象項目名】全文
【補正方法】変更
【補正の内容】
【特許請求の範囲】
【請求項１】
作業および機能ユニットとしてそれぞれ長手方向と横方向に広がった２つのテーブル状の支持プレート（８）を有する装置であって、これら支持プレートが、固定して取付可能な枠台（２０）内で互いに平行に配置されており、かつそれぞれ単独で相互に独立して３次元で可動な状態で支持されており、かつ、それら支持プレート（８）を相互に独立して少なくとも１次元で振動運動させる少なくとも１つのモーター駆動装置（１６，１７）が備えられている装置において、
該運動がランダム化された振動性の脈動運動であることを特徴とする、装置。
【請求項２】
台状もしくはテーブル状の２つの前記支持プレート（８）のそれぞれが両端部で、それぞれ立体的に可動な二股のホルダ（７）に取り付けられており、これらホルダが偏心ローラ（３）の両側アクスル軸（５）の軸受部（９）を有すること、それら偏心ローラ（３）が一方ではそれぞれ駆動ローラ（２）および他方ではそれぞれ支持ローラ（４）に支えられていること、両側駆動ローラ（２）が少なくとも１つのモーター駆動装置（１６，１７）によって同方向または逆方向に同期または非同期で回転すること、ならびに、偏心ローラ（３）の上に制限ローラ（１１）が配置されており、これら制限ローラが偏心ローラ（３）に対してわずかな隙間″ｄ″を有することを特徴する、
請求項１記載の装置。
【請求項３】
台状もしくはテーブル状の２つの前記支持プレート（８）のそれぞれが両端部で、それぞれ立体的に可動な二股のホルダ（７）に取り付けられており、これらホルダが偏心ローラ（３）の両側アクスル軸（５）の軸受部（９）を有すること、それら偏心ローラ（３）が一方ではそれぞれ駆動ローラ（２）および他方ではそれぞれ支持ローラ（４）に支えられていること、両側駆動ローラ（２）が少なくとも１つのモーター駆動装置（１６，１７）によって同方向または逆方向に同期または非同期で回転すること、偏心ローラ（３）の上に制限ローラ（１１）が配置されており、これら制限ローラが偏心ローラ（３）に対してわずかな隙間″ｄ″を有すること、立体的に可動な二股のホルダ（７）がその平らにされた上端で柔軟な弾性材料から成る緩衝材（１３）に結合していること、ならびに、この緩衝材（１３）上に支持プレート（８）が支持されており、この支持プレートがこの支持によって、これにより得られるさらなる自由度に基づいて横方向およびその長手方向で限定分で可動であることを特徴する、
請求項１記載の装置。
【請求項４】
台状もしくはテーブル状の２つの前記支持プレート（８）のそれぞれが両端部で、それぞれ立体的に可動な二股のホルダ（７）に取り付けられており、これらホルダが偏心ローラ（３）の両側アクスル軸（５）の軸受部（９）を有すること、それら偏心ローラ（３）が一方ではそれぞれ駆動ローラ（２）および他方ではそれぞれ支持ローラ（４）に支えられていること、両側駆動ローラ（２）が少なくとも１つのモーター駆動装置（１６，１７）によって同方向または逆方向に同期または非同期で回転すること、偏心ローラ（３）の上に制限ローラ（１１）が配置されており、これら制限ローラが偏心ローラ（３）に対してわずかな隙間″ｄ″を有すること、ならびに、立体的に可動な二股のホルダ（７）がその上端で支持プレート（８）にしなやかに結合しており、この支持プレートがこの支持によって、これにより得られるさらなる自由度に基づいて横方向およびその長手方向で限定分で可動であることを特徴する、
請求項１記載の装置。
【請求項５】
台状もしくはテーブル状の２つの前記支持プレート（８）のそれぞれが両端部で、それぞれ立体的に可動な二股のホルダ（７）に取り付けられており、これらホルダが偏心ローラ（３）の両側アクスル軸（５）の軸受部（９）を有すること、それら偏心ローラ（３）が一方ではそれぞれ駆動ローラ（２）および他方ではそれぞれ支持ローラ（４）に支えられていること、両側駆動ローラ（２）が少なくとも１つのモーター駆動装置（１６，１７）によって同方向または逆方向に同期または非同期で回転すること、偏心ローラ（３）の上に制限ローラ（１１）が配置されており、これら制限ローラが偏心ローラ（３）に対してわずかな隙間″ｄ″を有すること、ならびに、立体的に可動な該ホルダ（７）が支持プレート（８）に結合しており、この支持プレートでローラもしくは円筒形の転がり軸受（１８）が案内されており、この転がり軸受はジャーナル（２９）によって該ホルダ（７）に接続されており、それにより支持プレート（８）が該ホルダ（７）に対して限定分で長手方向に変位可能であることを特徴する、
請求項１記載の装置。
【請求項６】
台状もしくはテーブル状の２つの前記支持プレート（８）のそれぞれが両端部で、それぞれ立体的に可動な二股のホルダ（７）に取り付けられており、これらホルダが偏心ローラ（３）の両側アクスル軸（５）の軸受部（９）を有すること、それら偏心ローラ（３）が一方ではそれぞれ駆動ローラ（２）および他方ではそれぞれ支持ローラ（４）に支えられていること、両側駆動ローラ（２）が少なくとも１つのモーター駆動装置（１６，１７）によって同方向または逆方向に同期または非同期で回転すること、偏心ローラ（３）の上に制限ローラ（１１）が配置されており、これら制限ローラが偏心ローラ（３）に対してわずかな隙間″ｄ″を有すること、ならびに、立体的に可動な該ホルダ（７）が支持プレート（８）に結合しており、この支持プレートにｘ軸上を延び、長手方向に向けられた傾斜軸が存在し、この傾斜軸にトッププレート（１４）が軸ブロック（２４）によって横方向で傾斜可能に支持されていることを特徴する、
請求項１記載の装置。
【請求項７】
台状もしくはテーブル状の２つの前記支持プレート（８）のそれぞれが両端部で、それぞれ立体的に可動な二股のホルダ（７）に取り付けられており、これらホルダが偏心ローラ（３）の両側アクスル軸（５）の軸受部（９）を有すること、それら偏心ローラ（３）が一方ではそれぞれ駆動ローラ（２）および他方ではそれぞれ支持ローラ（４）に支えられていること、両側駆動ローラ（２）が少なくとも１つのモーター駆動装置（１６，１７）によって同方向または逆方向に同期または非同期で回転すること、偏心ローラ（３）の上に制限ローラ（１１）が配置されており、これら制限ローラが偏心ローラ（３）に対してわずかな隙間″ｄ″を有すること、ならびに、立体的に可動な該ホルダ（７）が支持プレート（８）に結合しており、この支持プレートに″ｘ″軸上を延び、長手方向に向けられたヒンジ（２４，３０）が存在し、このヒンジにトッププレート（１４）が接続突起部によって横方向で傾斜可能に支持されていることを特徴する、
請求項１記載の装置。
【請求項８】
トッププレート（１４）と支持プレート（８）との結合のさらなる可能性が、ボルト（３２）によって支持プレート（８）と結合されている軸受ブロック（３３）を用いて得られることを特徴する、
請求項２記載の装置。
【請求項９】
トッププレート（１４）が支持プレート（８）のそれぞれの重心で、両ねじボルト（３５）を用いて弾性の中間軸受ディスク（３６）上にわずかに立体的に可動に取り付けられており、その際、その可動性が、トッププレート（１４）に存在する三日月形のスロット（３７）にはまり込んでいる固定された位置決めピン（３８）によって長手方向および横方向で制限されていることを特徴する、
請求項２記載の装置。
【請求項１０】
トッププレートが、固定スロット（４１）によるかまたは対向するランプ状のかつトッププレート（１４）に向けられたスライディングピース（４４，４５）の傾斜面（４６，４７）によるトッププレート（１４）に向かう移動によって完全もしくは部分的に固定される場合に、支持プレート（８）上のトッププレート（１４）の可動性が支持プレート（８）上を移動可能でありかつ止めねじ（４０，４３）と結合されているスライダによって制限可能もしくは制止可能であることを特徴する、
請求項６記載の装置。
【請求項１１】
偏心ローラ（３）が中高に形成された円柱側面を有し、その大きさが１．００ｍｍ〜１０．００ｍｍであることを特徴する、
請求項２記載の装置。
【請求項１２】
制限ローラ（１１）が中高に形成された円柱側面を有し、その大きさが１．００ｍｍ〜１０．００ｍｍであることを特徴する、
請求項２記載の装置。
【請求項１３】
支持プレート（８）またはトッププレート（１４）に、流し込み可能な材料を入れるための容器用の、あるいは固体、対象物またはヒトもしくは動物の四肢を固定するためのホルダ用の支持部を取り外し可能にかつ衝撃および揺さぶりに強く結合するための固定装置が備えられていることを特徴する、
請求項１記載の装置。
【請求項１４】
前記ホルダが固定すべき固体、対象物またはヒトもしくは動物の四肢を結合強固に載せるかまたは押し入れるのに使用されるシューを有することを特徴する、
請求項１３記載の装置。
【請求項１５】
前記ホルダが留め金のついたベルトおよび／または帯を包含し、かつ該ホルダに、ヒトもしくは動物の四肢と結合するのに適当である支持手段または調整可能なシャックルを備えることができることを特徴する、
請求項１４記載の装置。
【請求項１６】
人や動物が２つのテーブル状支持プレート（８）上に少なくとも２本の脚で立ち、少なくとも１つの足を各テーブル状支持プレート（８）上に載せ、
各テーブル状支持板は、三次元で動作可能に互いに分かれて独立に取り付けられており、
前記テーブル状支持プレート（８）を、少なくとも一次元で互いに独立して、非同期、かつランダム化された振動性の脈動運動の状態にセットする駆動装置が備えられ、
前記動作が１−２０Ｈｚの周波数で遂行され、
しかも、人や動物の治療に供されるものではなくて、人や動物の筋肉調整能力を高め、及び／又は、人や動物の筋肉を刺激する方法。